(57)【要約】【課題】  ネットの展張時に強い風圧を受けても可動框が変形することがない横引き収納式網戸を提供する。【解決手段】  収納框３内の巻取り軸４に収容したスプリング５を駆動源としてネット６を巻取り、該ネットの先端にそれを保持する保持框７を取付け、上記収納框または保持框を固定框として建物開口部の一側に固定し、他方を可動框として移動可能とした横引きの網戸において、ネット６の展張時に、上記可動框と側枠８との間を接合するロック機構を複数とし、該複数のロック機構３０Ａ〜３０Ｂを該可動框及び側枠の長さ方向に沿って離散的に配設し、上記複数のロック機構を連結部材４５で相互に連結して、一つのロック機構の操作で全てのロック機構を連動してロック解除可能にする。【選択図】  図１
2005146642.tif 000002
【特許請求の範囲】
【請求項１】
収納框内の巻取り軸に収容したスプリングを巻取りの駆動源として、該巻取り軸にネットを巻取り、該ネットの先端にそれを保持する保持框を取付け、上記収納框と保持框の一方を固定框として建物開口部の一側に固定し、他方を可動框として上記固定框に接離する方向へ移動可能とすることにより、ネットを横引きで展張・収納するようにした網戸において、
ネットの展張時に、上記可動框と上記固定框に対向する側枠との間を接合するロック機構を複数とし、該複数のロック機構を該可動框及び側枠の長さ方向に沿って離散的に配設し、
上記複数のロック機構を連結部材で相互に連結して、一つのロック機構の操作で全てのロック機構を連動してロック解除可能にした、
ことを特徴とする横引き収納式網戸。  
【請求項２】
上記巻取り軸に巻取られたネットを収納している収納框を固定框とし、上記ネットの先端を保持する保持框を可動框とした、
ことを特徴とする請求項１に記載の横引き収納式網戸。
【請求項３】
上記巻取り軸に巻取られたネットを収納している収納框を可動框とし、上記ネットの先端を保持する保持框を固定框とした、
ことを特徴とする請求項１に記載の横引き収納式網戸。
【請求項４】
上記複数のロック機構は、上記側枠及び可動框の長さ方向のほぼ中央部に設ける第１のロック機構と、同上部に設けられる第２のロック機構と、同下部に設けられる第３のロック機構とからなる、
ことを特徴とする請求項１ないし３のいずれかに記載の横引き収納式網戸。
【請求項５】
上記ロック機構を、互いに接合する可動框と上記固定框に対向する側枠の一方に設けた係合孔の孔縁に、他方に上下摺動自在に設けたフック部材のフック部をその自重で係合させる構成を備えたものとし、
複数のロック機構における該フック部材を連結部材で相互に連結して、全てのロック機構を連動させた、
ことを特徴とする請求項１ないし３のいずれかに記載の横引き収納式網戸。
【発明の詳細な説明】
【技術分野】
【０００１】
本発明は、網戸におけるネットの張設のための可動框と側枠との間のロック手段を改良した横引き収納式網戸に関する。
【背景技術】
【０００２】
従来から、巻取り軸内に収容したスプリングを巻取りの駆動源として該巻取り軸にネットを巻取るようにした横引き収納式網戸は極めて一般的に用いられている。この種の網戸では、図８に示すように、上記巻取り軸を収容した収納框５３と、該収納框５３からネット５６を導出して張設するための保持框５７とを備え、該保持框５７と側枠５８との間にロック機構６０を設けて、このロック機構６０により、上記巻取り軸のスプリングによる巻取り力に抗して保持框５７を側枠５８に保持させている。そして、通常、このロック機構６０は保持框５７の手掛けが設けられている操作位置、具体的には、保持框５７の上下方向の長さのほぼ中間位置に設けられている。
【０００３】
ところで、網戸は、戸障子を開放したときに虫等の侵入を防止しつつ換気を行うために設置されるものであるから、当然のことながら戸外からの風圧を直接受けることになり、この風圧がある程度強くなると、ネット５６の中央部が膨出し、これに伴って保持框５７にネット５６からの引張り力が作用する。この場合に、保持框５７の中央部はロック機構６０により側枠５８に保持されているので問題はないが、該保持框５７の上部および下部では、上記引張り力により保持框５７がネット５６側に引っ張られて上下端が反るように変形し、側枠５８と保持框５７との間に隙間Ｓが生じて、防虫性が損なわれるばかりでなく、外観的にも不安定感が生じることになる。
【０００４】
このような問題は、上記保持框５７を収納框５３の位置に固定し、巻取り軸を有する収納框をネット５６の開閉のために移動させて、側枠５８にロック機構で保持させるようにした場合にも、変形の程度が少ないにしても、同様に発生するものである。
この現象を改善するためには、可動框が嵌まる側枠５８の凹部を深くして上記隙間Ｓを隠し、あるいは移動させる框の見付けを大きくして曲げに対する強度を高めるなどの対策が考えられるが、いずれにしてもネットによる通風面積を狭めてしまうと同時に、意匠的に圧迫感が生じ、好ましくない。
【発明の開示】
【発明が解決しようとする課題】
【０００５】
本発明は、上述の課題を解決するためになされたもので、その解決課題は、上述した隙間を隠すために側枠や移動させる框の見付けを大きくしたりすることなく、比較的強い風圧を受けても該框が変形することがないロック手段を備えた横引き収納式網戸を提供することにある。
【課題を解決するための手段】
【０００６】
上記課題を解決するための本発明の横引き収納式網戸は、収納框内の巻取り軸に収容したスプリングを巻取りの駆動源として、該巻取り軸にネットを巻取り、該ネットの先端にそれを保持する保持框を取付け、上記収納框と保持框の一方を固定框として建物開口部の一側に固定し、他方を可動框として上記固定框に接離する方向へ移動可能とすることにより、ネットを横引きで展張・収納するようにした網戸において、ネットの展張時に、上記可動框と上記固定框に対向する側枠との間を接合するロック機構を複数とし、該複数のロック機構を該可動框及び側枠の長さ方向に沿って離散的に配設し、上記複数のロック機構を連結部材で相互に連結して、一つのロック機構の操作で全てのロック機構を連動してロック解除可能にしたことを特徴とするものである。  
【０００７】
上記本発明の横引き収納式網戸は、上記巻取り軸に巻取られたネットを収納している収納框を固定框とし、上記ネットの先端を保持する保持框を可動框とし、あるいは、上記巻取り軸に巻取られたネットを収納している収納框を可動框とし、上記ネットの先端を保持する保持框を固定框とすることができる。
また、本発明の好ましい実施形態においては、上記複数のロック機構は、上記側枠及び可動框の長さ方向のほぼ中央部に設ける第１のロック機構と、同上部に設けられる第２のロック機構と、同下部に設けられる第３のロック機構とにより構成される。
【０００８】
更に、本発明の好ましい実施形態においては、上記ロック機構を、互いに接合する可動框と上記固定框に対向する側枠の一方に設けた係合孔の孔縁に、他方に上下摺動自在に設けたフック部材のフック部をその自重で係合させる構成を備えたものとし、複数のロック機構における該フック部材を連結部材で相互に連結して、全てのロック機構が連動するように構成される。
【０００９】
上述した横引き収納式網戸によれば、可動框と上記固定框に対向する側枠との間を接合するロック機構を複数とし、該複数のロック機構を可動框の長さ方向に沿って離散的に配設し、しかも、上記複数のロック機構を連結部材で相互に連結して、一つのロック機構の操作で全てのロック機構を連動してロック解除可能にしているので、該框の見付けを大きくしなくても、風圧等により該框が変形することがない。
【発明の効果】
【００１０】
上述した本発明によれば、開閉のために移動させる框の見付けを大きくしたりすることなく、比較的強い風圧を受けても該框が変形することがない横引き収納式網戸を得ることができ、その変形によって側枠と該框との間に隙間が生じて虫等が侵入するのを防止することができ、意匠的にも優れたものになる。
【発明を実施するための最良の形態】
【００１１】
本発明に係る横引き収納式網戸を、図に示す実施例に基づいて詳細に説明する。
図１ないし図５は、本発明に係る横引き収納式網戸の第１実施例を示し、この第１実施例の横引き収納式網戸１は、図１乃至図３に示すように、巻取り軸４に収容したスプリング５を巻取りの駆動源として、該巻取り軸４にネット６を巻取り、この巻取り軸４を収容した収納框３を固定框として、それを建物開口部に固定される網戸枠２の一方の側枠として使用し、また、ネット６の先端にそれを保持する保持框７を取付け、該保持框７を可動框として、ネット６を横引きで展張・収納できるようにし、該保持框７と網戸枠２の上記収納框３に対向する側枠８との間に後述のロック手段を設けたものである。
【００１２】
上記網戸枠２は、上述した収納框（固定框）３によって構成される一方の側枠と、それに対向する側枠８とを、上方の横枠１１と下方の横枠１２とによって連結することにより構成され、それが建物開口部に適宜手段で固定される。そして、上記保持框７及びネット６は、上記横枠１１及び１２にガイドさせて、ネット６の開閉のために横引きで展張・収納されるようにしている。
なお、保持框７の上端に転動自在に支持させたローラ１４は、上方の横枠１１に設けたガイド面１１ａ上を転動させ、保持框７を円滑に移動操作できるようにしたものである。また、下方の横枠１２の前後に立設したガイド部材１２ａは、ゴムや合成樹脂等の可撓性を有する弾性材により形成し、歩行時の躓きを防止できるようにしている。
【００１３】
上記側枠８は、上記保持框７を操作してネット６を展張した際に、該側枠８に保持框７の一部を装嵌して固定するものであり、図５に詳しく示しているように、該側枠８は、平行する二つの側壁２１と、この側壁２１の内側面の中間部から互いに対向するように突出させた二つの突壁部２２と、これら突壁部２２を互いに連結する連結壁２３とを有し、該突壁部２２と連結壁２３との間に、スライド溝２４が形成されていて、全体的には略コ字状の断面形状を呈している。
【００１４】
そして、図１から分かるように、ネット６の展張時に、上記保持框７と上記側枠８との間を接合した状態に保持するロック手段を、該保持框７及び側枠８の長さ方向に沿って離散的に配設した複数のロック機構によって構成し、図示の例では、上記側枠８の長さ方向のほぼ中央部に設ける第１のロック機構３０Ａと、同上部に設けられる第２のロック機構３０Ｂと、同下部に設けられる第３のロック機構３０Ｃとによって構成している。
【００１５】
上記複数のロック機構３０Ａ，３０Ｂ，３０Ｃは、第１のロック機構３０Ａの操作により他のロック機構３０Ｂ，３０Ｃを連動してロック解除可能にしたものである。そこで、先ず、第１のロック機構３０Ａの構成について説明する。
上記ロック機構３０Ａは、保持框７に設けた係合孔３５Ａに係合するフック部材３１Ａと、該フック部材３１Ａを操作する操作部材４０からなっている。上記フック部材３１Ａは、スライド基板３２の中央にフック部３３を立設してなり、該スライド基板３２を前記保持框７のスライド溝２４に摺動自在に嵌入させている。また、フック部３３は、上記係合孔３５Ａに係合する係合鈎部３３ａに向って傾斜する傾斜部３３ｂを有している。従って、保持框７が側枠８に接近して、それに設けた係合孔３５Ａの孔縁が該傾斜部３３ｂに接触したとき、該孔縁でフック部材３１Ａが押し上げられ、その後、係合鈎部３３ａが係合孔３５Ａの孔縁に自重で係止することになる。
更に、上記スライド基板３２の上下縁には、それぞれ、上下のロック機構３０Ｂ，３０Ｃと連動のために連結する連結部３４を付設している。
【００１６】
一方、上記操作部材４０は、その本体部４１の中央に上記フック部３３を突出させる貫通孔４２を有し、該本体部４１が上記スライド基板３２の表面側に爪の係合により固定されたもので、該本体部４１の両側に、前記側枠８における二つの側壁２１の外側に位置させるように、該側壁２１の切欠き部２６を通して導出した一対の操作部４３を連設している。従って、この操作部４３のいずれかを上動させることにより、上記フック部３３における係合鈎部３３ａの係合孔３５Ａに対する係止を外すことができる。
【００１７】
上記第１のロック機構３０Ａの上部には第２のロック機構３０Ｂを、その下部には第３のロック機構３０Ｃを設けているが、これらのロック機構３０Ｂ，３０Ｃにおいては、上記第１のロック機構３０Ａにおけるフック部材３１Ａと同構造のフック部材３１Ｂ，３１Ｃを用いて、それぞれのスライド基板３２を側枠８のスライド溝２４に摺動自在に嵌入させ、各スライド基板３２の中央に立設したフック部３３を、保持框７における対応位置に設けた係合孔３５Ｂ，３５Ｃの孔縁にそれぞれ係合させるようにしている。そして、上記第１のロック機構３０Ａのフック部材３１Ａにおける上下の連結部３４は、それぞれ、第２のロック機構３０Ｂを構成するフック部材３１Ｂ及び第３のロック機構を構成するフック部材３１Ｃの各連結部３４と、金属線からなる連結部材４５によって相互に連結している。
【００１８】
これにより、フック部材３１Ｂ，３１Ｃはスライド溝２４における所定位置に保持されると共に、第１のロック機構３０Ａにおけるフック部材３１Ａと一体化されて、該フック部材２３Ａの操作に連動して操作され、即ち、一つのロック機構の操作で全てのロック機構を連動してロック解除することができる。
【００１９】
上記構成を有する横引き収納式網戸は、図１に示す状態で建物開口部に設置され、保持框７によりネット６を引き出して該保持框７を側枠８に押し付けると、上記第１〜第３のロック機構３０Ａ〜３０Ｃがそれぞれ係止して、ネット６が展張状態に保持される。
なお、この状態では、巻取り軸４に必要以上のネット６が巻かれていないようにし、また、たとえ余分のネットが巻かれていたとしても、ネット６に作用する風等によりそのネットが巻取り軸４から引き出されないように、巻取り軸４をストッパで固定しておくなどの配慮が望まれる。
そして、上記ネット６に風圧が作用して、ネット６にそれを膨らませるような力が作用しても、保持框７が、中央部及び上下の３箇所で側枠８にロックされているので、保持框７が変形することがなく、そのため側枠８と保持框７との間に隙間ができて虫が侵入したり、外観を損なうことはない。
【００２０】
また、ネット６を収納框３内に収納する場合には、上記第１のロック機構３０Ａにおける操作部４３を若干上動させればよく、それによって、第１のロック機構３０Ａにおけるフック部材３１Ａに連動して、第２及び第３のロック機構３０Ｂ，３０Ｃにおけるフック部材３１Ｂ，３１Ｃも保持框７に対する係合が解除されるので、ネット６はスプリング５の付勢力で自動的に巻取られる。
【００２１】
図６及び図７は、本発明の第２実施例を示している。上記第１実施例では、巻取り軸４を収容した収納框３を固定框として、それを建物開口部に固定される網戸枠２の一方の側枠として使用し、また、ネット６の先端にそれを保持する保持框７を取付け、該保持框７を可動框として、ネット６を横引きで展張・収納できるようにしているが、この第２実施例では、巻取り軸４を収容した収納框３を可動框として、それを横引きで移動可能にしてネットを展張・収納できるようにし、また、ネット６の先端に取付けた保持框７を固定框として、網戸枠２の一方の側枠として使用している。そのため、可動框である収納框３と網戸枠２の側枠８との間に前記第１実施例と同様のロック手段を設けている。
【００２２】
この第２実施例は、巻取り軸４に収容したスプリング５を巻取りの駆動源として、該巻取り軸４にネット６を巻取る点や、ロック機構の構成も第１実施例と同様であり、また、この第２実施例の作用も、収納框３を可動框としている点を除いて第１実施例と同様である。
なお、その他の構成は、前記第１実施例の場合と変わるところがないので、同一または相当部分に同一の符号を付してそれらの説明を省略する。
【００２３】
以上においては、本発明の望ましい実施例について説明したが、本発明はこれらの実施例に限られるわけではなく、特許請求の範囲を逸脱しない範囲内で種々の設計変形が可能である。
例えば、上記ロック機構は、網戸枠２の側枠８にフック部材３１Ａ〜３１Ｃを設け、可動框に係合孔３５Ａ〜３５Ｃを設けているが、この関係を逆にして、フック部材３１Ａ〜３１Ｃを可動框に設け、係合孔３５Ａ〜３５Ｃを側枠８に設けることもできる。
また、ロック機構の構成も、上記実施例によって限定されるものではない。
【図面の簡単な説明】
【００２４】
【図１】本発明の第１実施例の横引き収納式網戸の正面断面図である。
【図２】上記第１実施例の平断面図である。
【図３】上記第１実施例の左側断面図である。
【図４】上記第１実施例の側枠の構成を示す右側断面図である。
【図５】上記第１実施例における第１のロック機構の部分拡大斜視図である。
【図６】本発明の第２実施例の横引き収納式網戸の正面断面図である。
【図７】上記第２実施例の平面断面図である。
【図８】従来の横引き収納式網戸の構成を模式的に示す正面図である。
【符号の説明】
【００２５】
１      横引き収納式網戸
２      網戸枠
３      収納框
４      巻取り軸
５      スプリング
６      ネット
７      保持框
８      側枠
３０Ａ〜３０Ｃ    ロック機構
３１Ａ〜３１Ｃ    フック部材
３５Ａ〜３５Ｃ    係合孔
４５      連結部材
【図１】
2005146642.tif 000003
【図２】
2005146642.tif 000004
【図３】
2005146642.tif 000005
【図４】
2005146642.tif 000006
【図５】
2005146642.tif 000007
【図６】
2005146642.tif 000008
【図７】
2005146642.tif 000009
【図８】
2005146642.tif 000010